(57)【要約】【課題】  ガイドレールを用いずに位置決めされた状態で循環ポンプ取扱装置の移動を案内できる１次冷却水再循環ポンプ内蔵型原子炉を提供する。【解決手段】  シュラウド３、原子炉圧力容器５、シュラウドサポート９、シュラウドサポート９外面と原子炉圧力容器内面の間に設置された１次冷却水再循環ポンプ３３とを備え、シュラウド３及びシュラウドサポート９の１次冷却水再循環ポンプ３３の設置位置に対応する部分には、各々、軸線方向に延在し、１次冷却水再循環ポンプ３３に対応する位置で軸線方向に移動する循環ポンプ取扱装置３７の軸線方向への移動を案内する案内溝３５が形成されており、案内溝３５は、循環ポンプ取扱装置３７にシュラウド３方向に向けて突設され並行に支持された少なくとも２つのローラ３７ｃが当接する面で、かつ、シュラウド３及びシュラウドサポート９の周に沿う方向への循環ポンプ取扱装置３７の移動を拘束する面を有する構成とする。【選択図】        図４
2005189164.tif 000002
【特許請求の範囲】
【請求項１】
炉心を内包するシュラウドと、該シュラウドを内装した原子炉圧力容器と、該原子炉圧力容器の底面に支持され、上端部が前記シュラウドに結合されて前記シュラウドを支持するシュラウドサポートと、前記シュラウドサポート外面と前記原子炉圧力容器内面の間に設置された１次冷却水再循環ポンプとを備え、
前記シュラウド及び前記シュラウドサポートは、軸線が前記原子炉圧力容器の軸線と平行な筒状で互いに同心に設置されており、前記シュラウド及び前記シュラウドサポートの前記１次冷却水再循環ポンプの設置位置に対応する部分には、各々、前記軸線方向に延在し、前記１次冷却水再循環ポンプに対応する位置で前記軸線方向に移動する循環ポンプ取扱装置の前記軸線方向への移動を案内する案内溝が形成されており、該案内溝は、循環ポンプ取扱装置に前記シュラウド方向に向けて突設され並行に支持された少なくとも２つのローラが当接する面で、かつ、前記シュラウド及び前記シュラウドサポートの周に沿う方向への循環ポンプ取扱装置の移動を拘束する面を有する１次冷却水再循環ポンプ内蔵型原子炉。
【請求項２】
前記案内溝は、断面が円弧状に形成されていることを特徴とする請求項１に記載の１次冷却水再循環ポンプ内蔵型原子炉。
【請求項３】
前記案内溝は、該案内溝の対向する両側面の少なくとも一部が、循環ポンプ取扱装置に並行に設けられた少なくとも２つのローラの外側の縁部が当接する傾斜面となっていることを特徴とする請求項１に記載の１次冷却水再循環ポンプ内蔵型原子炉。
【発明の詳細な説明】
【技術分野】
【０００１】
本発明は、１次冷却水再循環ポンプ内蔵型原子炉に係わり、特に、シュラウド及びシュラウドサポートを備えた１次冷却水再循環ポンプ内蔵型原子炉に関する。
【背景技術】
【０００２】
炉心を内包するシュラウド、及びこのシュラウドを支持するシュラウドサポートを備えた１次冷却水再循環ポンプ内蔵型原子炉では、原子炉圧力容器の内面と円筒形のシュラウドやシュラウドサポートの外面との間に、１次冷却水を炉内で循環させるための１次冷却水再循環ポンプ（以下循環ポンプと称する）を複数個、所定の間隔をおいて設けている。一般的に、シュラウドを水平面で切ったときのシュラウドの断面形状は原子炉圧力容器と同心の円形であり、内包する炉心の直径に基づいてシュラウドの径も決定されている。また、循環ポンプを点検しようとする場合、循環ポンプをシュラウドと原子炉圧力容器内面との環状空間を通して上方に引き上げる必要があるため、循環ポンプを引き上げるための空間をシュラウド外面と原子炉圧力容器の内面との間に確保するように原子炉圧力容器の内径が決定される。
【０００３】
このような１次冷却水再循環ポンプ内蔵型原子炉において、シュラウドの外面には、循環ポンプを上方に引き上げるために使用される循環ポンプ取扱装置のシュラウドの軸線に沿っての移動、つまり上下方向への移動を案内するため、循環ポンプ取扱装置が有するローラが滑走するガイドレールが溶接によって取付けられている。そして、循環ポンプ取扱装置は、ローラをガイドレールと原子炉圧力容器の内面とに当接させることによって、循環ポンプの軸がモータケーシングを出入りする間、軸とモータケーシングとの干渉を防止するため、循環ポンプ軸心とモータケーシングの軸心とを一致させるように位置決めを行っている（例えば、特許文献１乃至３参照）。
【０００４】
なお、特許文献１では、原子炉圧力容器の径の小型化や、シュラウドと原子炉圧力容器との空間を有効活用のため、断面形状が円筒形以外の形状のシュラウドが提案されている。特許文献２では、プラントの信頼性や安全性の向上のための１次冷却水再循環ポンプ内蔵型原子炉の内部構造や形状が提案されている。また、特許文献３では、原子力圧力容器の径を小さくするため、上部格子板のフランジ部を切り欠くことが提案されている。
【０００５】
【特許文献１】特開昭６２−２３２０２８号公報（第３−４頁、第１、２図）
【特許文献２】特開昭５７−８６７８８号公報（第２頁、第３、４図）
【特許文献３】特開昭５８−６６０９６号公報（第１頁、第１、２図）
【発明の開示】
【発明が解決しようとする課題】
【０００６】
ところで、循環ポンプを点検しようとする場合、循環ポンプ取扱装置によってシュラウドと原子炉圧力容器内面との環状空間を通して循環ポンプを上方に引き上げる。このとき、前述のように、循環ポンプの軸がモータケーシングを出入りする間、循環ポンプの軸とモータケーシングとの間の干渉を防止するため、循環ポンプの軸心とモータケーシングの軸心を一致させるように、循環ポンプ取扱装置の移動時に位置決めされた状態で循環ポンプ取扱装置が移動できるように案内するためのガイドレールがもうけられている。このガイドレールは、シュラウドとは別に製作され、溶接によってシュラウドの外面に取り付けられている。このため、１次冷却水再循環ポンプ内蔵型原子炉の製造におけるガイドレールの製作や溶接によるシュラウドへの取り付けといった作業や、１次冷却水再循環ポンプ内蔵型原子炉の構造などを簡略化するため、ガイドレールを用いずに位置決めされた状態で循環ポンプ取扱装置の移動を案内できる１次冷却水再循環ポンプ内蔵型原子炉が望まれている。
【０００７】
本発明の課題は、ガイドレールを用いずに位置決めされた状態で循環ポンプ取扱装置の移動を案内することにある。
【課題を解決するための手段】
【０００８】
本発明の１次冷却水再循環ポンプ内蔵型原子炉は、炉心を内包するシュラウドと、このシュラウドを内装した原子炉圧力容器と、この原子炉圧力容器の底面に支持され、上端部がシュラウドに結合されてシュラウドを支持するシュラウドサポートと、シュラウドサポート外面と原子炉圧力容器内面の間に設置された１次冷却水再循環ポンプとを備え、シュラウド及びシュラウドサポートは、軸線が前記原子炉圧力容器の軸線と平行な筒状で互いに同心に設置されており、シュラウド及びシュラウドサポートの１次冷却水再循環ポンプの設置位置に対応する部分には、各々、軸線方向に延在し、１次冷却水再循環ポンプに対応する位置で軸線方向に移動する循環ポンプ取扱装置の軸線方向への移動を案内する案内溝が形成されており、この案内溝は、循環ポンプ取扱装置にシュラウド方向に向けて突設され並行に支持された少なくとも２つのローラが当接する面で、かつ、シュラウド及びシュラウドサポートの周に沿う方向への循環ポンプ取扱装置の移動を拘束する面を有する構成とすることにより上記課題を解決する。
【０００９】
また、案内溝は、断面が円弧状に形成されている構成とする。
【００１０】
さらに、案内溝は、この案内溝の対向する両側面の少なくとも一部が、循環ポンプ取扱装置に並行に設けられた少なくとも２つのローラの外側の縁部が当接する傾斜面となっている構成とする。
【００１１】
このような構成とすることにより、循環ポンプ取扱装置は、ローラが案内溝の面に当接することで、シュラウドや原子炉圧力容器の周に沿う方向への移動が拘束され、案内溝によって、位置決めされた状態で軸線方向に移動する。したがって、ガイドレールを用いずに位置決めされた状態で循環ポンプ取扱装置の移動を案内できる。
【発明の効果】
【００１２】
本発明によれば、ガイドレールを用いずに位置決めされた状態で循環ポンプ取扱装置の移動を案内できる。
【発明を実施するための最良の形態】
【００１３】
以下、本発明を適用してなる１次冷却水再循環ポンプ内蔵型原子炉の一実施形態について図１乃至図５を参照して説明する。図１は、本発明を適用してなる１次冷却水再循環ポンプ内蔵型原子炉の概略構成を示す原子炉の縦断面図である。図２は、図１のII−II線からの矢視断面図である。図３は、図１のIII−III線からの矢視断面図である。図４は、案内溝によって循環ポンプ取扱装置が位置決めされた状態を原子炉の案内溝部分を拡大して示す横断面図である。図５は、案内溝によって案内され、移動する循環ポンプ取扱装置が１次冷却水再循環ポンプの軸を掴んで取り出す状態を説明する原子炉の１次冷却水再循環ポンプに対応する部分の縦断面図であり、（ａ）は循環ポンプ取扱装置が移動している状態を、（ｂ）は（ａ）の破線で囲んだＢの部分の様子を拡大して軸に設けられた掴み部をポンプ掴み具が離している状態を、（ｃ）は（ａ）の破線で囲んだＢの部分の様子を拡大して軸に設けられた掴み部をポンプ掴み具が掴んでいる状態を示す図である。
【００１４】
本実施形態の１次冷却水再循環ポンプ内蔵型原子炉は、図１及び図２に示すように、燃料体を含む炉心１を内包するシュラウド３を、原子炉圧力容器５で覆った沸騰水型原子炉である。原子炉圧力容器５は、円筒の両端がドーム状の端部で閉塞された形状となっている。シュラウド３は、円筒状であり、原子炉圧力容器５と同心に原子炉圧力容器５内に収容されている。シュラウド３は、図１及び図３に示すように、原子炉圧力容器５の底面に支持脚７で支持されたシュラウドサポート９によって支持されている。
【００１５】
シュラウドサポート９の支持脚７の下端側は、原子炉圧力容器５の底面に溶接で固着されており、シュラウドサポート９は、シュラウド３を含む炉心構造物の重量を支持している。シュラウドサポート９は、シュラウド３とほぼ同じ径の円筒状であり下端側に支持脚７が設けられ、上端側がシュラウド３の下端側に溶接で連結されている。したがって、シュラウド３とシュラウドサポート９とは、一体の円筒を形成した状態となっており、また、シュラウド３とシュラウドサポート９とは、同心に原子炉圧力容器５内に配置されている。
【００１６】
シュラウド３の上側部分には、図１に示すように、シュラウド３に形成されたフランジ部３ａに、上部格子板取付ボルト１１で締結された上部格子板１３、原子炉圧力容器５と同心に配置されて上部格子板１３に形成されたフランジ部１３ａにシュラウドヘッドボルト１５で締結されたドーム状のシュラウドヘッド１７、シュラウドヘッド１７に取り付けられ炉心１から出た蒸気の湿分を分離する複数本の気水分離器１９などが設けられている。シュラウドヘッドボルト１５は、シュラウドヘッド１７よりも上方に延在しており、複数本の気水分離器１９などを支持する役目なども有している。
【００１７】
一方、シュラウド３の中央部分から下側部分には、炉心支持板取付ボルト２１でシュラウド３の中央部分に締結された炉心支持板２３、炉心支持板２３上に位置して炉心１の燃料体を垂直方向に支持する中央燃料支持金具２５及び周辺燃料支持金具２７、炉心支持板２３の下側に位置して中央燃料支持金具２５を支持する制御棒案内管２９、原子炉圧力容器５の底部内面に溶接され制御棒案内管２９を支持する制御棒駆動機構ハウジング３１などが設けられている。そして、炉心１は、上部格子板１３によっての上部が支持され、炉心支持板２３により下部が支持される。また、周辺燃料支持金具２７は、炉心支持板２３に溶接されている。
【００１８】
シュラウドサポート９の外面と原子炉圧力容器５の内面との間の空間には、図１及び図３に示すように、周方向に等間隔で分散配置された４台の１次冷却水再循環ポンプ３３（以下、循環ポンプ３３と称する）が設置されている。循環ポンプ３３のうち、図示していないインペラを内包するディフューザ部３３ａが原子炉圧力容器５内に設置されており、ディフューザ部３３ａの下方に設置されたモータ部３３ｂは、原子炉圧力容器５の外側に位置している。また、循環ポンプ３３の図示していないインペラが固定された軸は、原子炉圧力容器５やシュラウド３の軸線の方向と同じ方向に延在している。したがって、循環ポンプ３３は、図示していないインペラが固定された軸が、原子炉圧力容器５の下端部の壁面を貫通した状態で設置されている。
【００１９】
なお、支持脚７は、隣り合う循環ポンプ３３の周方向中央位置で、原子炉圧力容器５の軸線に直行する平面内で各循環ポンプ３３に内接する円Ａを描いたとき、その円Ａの半径方向外側の位置に配置されている。つまり、支持脚７は、隣り合う循環ポンプ３３の間に、１本ずつ配置された状態となっている。
【００２０】
ところで、本実施形態の１次冷却水再循環ポンプ内蔵型原子炉には、図２乃至図４に示すように、シュラウド３とシュラウドサポート９の各循環ポンプ３３の設置位置に対応する部分に、シュラウドサポート９の下端部からシュラウド３の上端部にかけて、つまり、原子炉圧力容器５やシュラウド３及びシュラウドサポート９の軸線に沿う方向に案内溝３５が設けられている。したがって、本実施形態では、上下方向に延在する４本の案内溝３５が等間隔でシュラウド３とシュラウドサポート９に形成されている。なお、本実施形態では、案内溝３５は、シュラウド３及びシュラウドサポート９の円筒状の壁の各循環ポンプ３３の設置位置に対応する部分を、半径方向内側に向けて円弧状に凹ませることで形成されている。このため、本実施形態の案内溝３５は、横断面が円弧形状となっている。
【００２１】
また、少なくとも案内溝３５と原子炉圧力容器５の内面との間の空間は、循環ポンプ３３への図示していないインペラ及び軸などの設置及び分解点検のための上方への引き上げによる取り出しに支障のない大きさになっており、循環ポンプ３３の図示していないインペラ及び軸などは、分解点検の際、この案内溝３５と原子炉圧力容器５の内面とによって形成された空間を、案内溝３５に沿って引き上げられる。
【００２２】
この循環ポンプ取扱装置による循環ポンプ３３の図示していないインペラ及び軸などの取り出し方について以下に説明する。循環ポンプ取扱装置３７は、図１、図４及び図５に示すように、原子炉圧力容器５内の原子炉圧力容器５内面と、シュラウド３及びシュラウドサポート９に形成された案内溝３５との間の空間を昇降するものである。なお、図１では、１次冷却水再循環ポンプ内蔵型原子炉の概略構成を説明するため原子炉全体が示されているが、実際には、循環ポンプ取扱装置３７を用いて循環ポンプ３３の図示していないインペラや軸を取り扱う場合、シュラウド３の上端部よりも上方の原子炉圧力容器５の部分や、この原子炉圧力容器５の部分に収められている上部格子板１３、シュラウドヘッドボルト１５、シュラウドヘッド１７、気水分離器１９などを取り外した状態で、循環ポンプ取扱装置３７を原子炉圧力容器５内の原子炉圧力容器５内面と、シュラウド３及びシュラウドサポート９に形成された案内溝３５との間の空間に挿入する。
【００２３】
循環ポンプ取扱装置３７は、図５に示すように、循環ポンプ３３の軸のインペラ側の端部に設けられた掴み部３３ｃを掴むポンプ掴み具３７ａ、ポンプ掴み具３７ａの上方に設けられたローラ支持部３７ｂ、ローラ支持部３７ｂに支持されたローラ３７ｃ、ローラ支持部３７ｂの上方に延在する吊り具３７ｄ、吊り具３７ｄの上端部に連結されたワイヤ３７ｅ、吊り具３７ｄ部分に取り付けられた水中カメラ３７ｆ、水中カメラ３７ｆ電気的に接続された配線３７ｇ、そして、図示していないワイヤ３７ｅの巻き取りなどを行うウインチ部や制御部などを備えている。
【００２４】
循環ポンプ取扱装置３７のローラ支持部３７ｂには、図４に示すように、３つのローラ３７ｃが設けられている。３つのローラ３７ｃのうち、２つのローラ３７ｃは、ローラ支持部３７ｂから同方向側で半径方向に突出させたブラケット３７ｈに各々取り付けられており、残る１つのローラ３７ｃとは、同方向側に突設した２つのローラ３７ｃとは反対の方向側で半径方向に突出させたブラケット３７ｈに取り付けられている。また、同方向側に突設した２つのローラ３７ｃは、同一の回転軸で回転し、反対の方向側に突設した１つのローラ３７ｃは、同方向側に突設した２つのローラ３７ｃの回転軸と平行な回転軸で回転する状態で、各々、ブラケット３７ｈに取り付けられている。したがって、同方向側に突設した２つのローラ３７ｃは、ローラ支持部３７ｂに並行に支持されている。
【００２５】
このような、循環ポンプ取扱装置３７は、図１及び図５に示すように、シュラウド３の上端部よりも上方の原子炉圧力容器５の部分や、この原子炉圧力容器５の部分に収められている上部格子板１３、シュラウドヘッドボルト１５、シュラウドヘッド１７、気水分離器１９などを取り外した状態で、原子炉圧力容器５内の原子炉圧力容器５内面と、シュラウド３及びシュラウドサポート９に形成された案内溝３５との間の空間に挿入される。このとき、図４に示すように、循環ポンプ取扱装置３７のローラ支持部３７ｂにブラケット３７ｈを介して支持された３つのローラ３７ｃのうち、同方向側に突設した２つのローラ３７ｃが案内溝３５の面に当接し、反対の方向側に突設した１つのローラ３７ｃが原子炉圧力容器５の内面に当接する状態で挿入される。
【００２６】
したがって、３つのローラ３７ｃが原子炉圧力容器５の内面や案内溝３５の面に当接することによって、循環ポンプ取扱装置３７のシュラウド３や原子炉圧力容器５の半径方向への移動が拘束されるうえ、同方向側に突設した２つのローラ３７ｃの外側の縁部が円弧状の案内溝３５の面に当接した状態となり、円弧状の案内溝３５の面が同方向側に突設した２つのローラ３７ｃの横方向への移動を拘束するため、循環ポンプ取扱装置３７の横方向、つまり、シュラウド３や原子炉圧力容器５の円周に沿う方向への移動が拘束される。このため、循環ポンプ取扱装置３７は、原子炉圧力容器５の内面と案内溝３５との間の空間に位置決めされた状態となり、図示していないウインチ部の駆動などによりこの空間内を上下動、つまり昇降するとき、位置決めされた状態で昇降することになる。
【００２７】
このように位置決めされて移動する循環ポンプ取扱装置３７を用い、例えば循環ポンプ３３の図示していない軸とこの軸に固定されたインペラなどを取り出す場合、図５（ａ）に示すように、循環ポンプ取扱装置３７は、原子炉圧力容器５の内面と案内溝３５との間の空間を位置決めされた状態で下降して行く。循環ポンプ取扱装置３７のポンプ掴み具３７ａが循環ポンプ３３の上端部に達すると、図５（ｂ）（ｃ）に示すように、循環ポンプ取扱装置３７のポンプ掴み具３７ａで、循環ポンプ３３の軸の上端部に設けられた掴み部３３ｃを掴む。
【００２８】
そして、この状態で、循環ポンプ取扱装置３７が、原子炉圧力容器５の内面と案内溝３５との間の空間を位置決めされた状態で上昇して行くことで、軸とモータ部３３ｂのケーシングなどとが干渉することなく、循環ポンプ３３から図示していない軸やインペラなどを取り出すことができる。図示していない軸やインペラなどを循環ポンプ３３に取り付ける場合は、この逆の動作となるが、やはり、軸とモータ部３３ｂのケーシングなどとが干渉することなく、循環ポンプ３３に図示していない軸やインペラなどを挿入し、取り付けることができる。
【００２９】
このように本実施形態の１次冷却水再循環ポンプ内蔵型原子炉では、シュラウド３とシュラウドサポート９とに断面円弧状の案内溝３５が形成されており、この案内溝３５の円弧状の面に循環ポンプ取扱装置３７の案内溝３５側に向けて突設され並行に支持された２つのローラ３７ｃが当接し、案内溝３５によって循環ポンプ取扱装置３７の移動が案内される。したがって、循環ポンプ取扱装置３７は、２つのローラ３７ｃの案内溝３５の円弧状の面への当接により、横方向、つまりシュラウド３や原子炉圧力容器５の円周に沿う方向への移動が拘束され、位置決めされた状態でシュラウド３や原子炉圧力容器５の軸線方向に移動する。したがって、ガイドレールを用いずに位置決めされた状態で循環ポンプ取扱装置の移動を案内できる。
【００３０】
さらに、ガイドレールを用いずに位置決めされた状態で循環ポンプ取扱装置の移動を案内できることにより、１次冷却水再循環ポンプ内蔵型原子炉の製造におけるガイドレールの製作や溶接によるシュラウドへの取り付けといった作業を簡略化でき、また、部品点数の低減により、１次冷却水再循環ポンプ内蔵型原子炉の構造を簡略化できる。さらに、ガイドレールの現地取付工事を削除できるので、１次冷却水再循環ポンプ内蔵型原子炉の建設工程も短縮できる。加えて、循環ポンプ取扱装置の構造を一般に用いられているものから変更することなく、ガイドレールを省略できる。
【００３１】
また、本実施形態では、加工のし易さから断面円弧状に形成した案内溝３５をシュラウド３とシュラウドサポート９に設けている。しかし、シュラウドとシュラウドサポートに設ける案内溝は、循環ポンプ取扱装置の移動を案内すると共に、循環ポンプ取扱装置の少なくとも２つローラが当接する面によりシュラウドなどの円周に沿う方向への移動を拘束できれば、部品の加工性などを考慮し、円形、方形、多角形等、様々な断面形状で形成することができる。
【００３２】
例えば、図６や図７に示すように、シュラウド３の外面と底面とを連結する両側面の一部または両側面全体をテーパー状の傾斜面とした案内溝３９、４１をシュラウド３とシュラウドサポート９に設けることもできる。この場合、循環ポンプ取扱装置３７の同方向に同方向側に突設した２つのローラ３７ｃは、各々、対応する案内溝３９、４１の傾斜面に当接することで、シュラウド３などの円周に沿う方向への移動が拘束される。また、図８に示すように、断面三角形状の案内溝４３をシュラウド３とシュラウドサポート９に設けることもできる。この場合も、循環ポンプ取扱装置３７の同方向に同方向側に突設した２つのローラ３７ｃは、各々、案内溝４３の対応する傾斜面に当接することで、シュラウド３などの円周に沿う方向への移動が拘束される。
【００３３】
また、本実施形態では、循環ポンプ取扱装置３７として、３つのローラを有し、そのうち２つのローラ３７ｃが同方向側に突設された構成の循環ポンプ取扱装置を示している。しかし、用いる循環ポンプ取扱装置としては、少なくとも２つのローラが同方向側に並行な状態で突設されていれば、４つ以上のローラを有する循環ポンプ取扱装置などを用いることもできる。
【００３４】
また、本実施形態では、４台の循環ポンプ３３が設置されている場合を例示したが、本発明は循環ポンプの台数に関係なく適用できる。
【００３５】
このように、本発明は、本実施形態の構成の１次冷却水再循環ポンプ内蔵型原子炉に限らず、様々な構成の１次冷却水再循環ポンプ内蔵型原子炉に適用できる。
【図面の簡単な説明】
【００３６】
【図１】本発明を適用してなる１次冷却水再循環ポンプ内蔵型原子炉の一実施形態の  概略構成を示す原子炉の縦断面図である。
【図２】図１のII−II線からの矢視断面図である。
【図３】図１のIII−III線からの矢視断面図であり、制御棒案内管を省略した状態で示す図である。
【図４】案内溝によって循環ポンプ取扱装置が位置決めされた状態を原子炉の案内溝部分を拡大して示す横断面図である。
【図５】案内溝によって案内され、移動する循環ポンプ取扱装置が１次冷却水再循環ポンプの軸を掴んで取り出す状態を説明する原子炉の１次冷却水再循環ポンプに対応する部分の縦断面図であり、（ａ）は循環ポンプ取扱装置が移動している状態を、（ｂ）は（ａ）の破線で囲んだＢの部分の様子を拡大して軸に設けられた掴み部をポンプ掴み具が離している状態を、（ｃ）は（ａ）の破線で囲んだＢの部分の様子を拡大して軸に設けられた掴み部をポンプ掴み具が掴んでいる状態を示す図である。
【図６】本発明を適用してなる１次冷却水再循環ポンプ内蔵型原子炉に設けた案内溝の断面形状の変形例を、案内溝部分を拡大して示す横断面図である。
【図７】本発明を適用してなる１次冷却水再循環ポンプ内蔵型原子炉に設けた案内溝の断面形状の別の変形例を、案内溝部分を拡大して示す横断面図である。
【図８】本発明を適用してなる１次冷却水再循環ポンプ内蔵型原子炉に設けた案内溝の断面形状のさらに別の変形例を、案内溝部分を拡大して示す横断面図である。
【符号の説明】
【００３７】
３  シュラウド
５  原子炉圧力容器
９  シュラウドサポート
３３  １次冷却水再循環ポンプ
３５  案内溝
３７  循環ポンプ取扱装置
３７ｃ  ローラ  
【図１】
2005189164.tif 000003
【図２】
2005189164.tif 000004
【図３】
2005189164.tif 000005
【図４】
2005189164.tif 000006
【図５】
2005189164.tif 000007
【図６】
2005189164.tif 000008
【図７】
2005189164.tif 000009
【図８】
2005189164.tif 000010